(57)【要約】      （修正有）【課題】扉部材の開放姿勢からさらに開放する方向の回動の規制も、閉鎖する方向の回動の規制も、簡単な構成で確実かつ容易に行うことができる昇降口用扉装置を提供する。【解決手段】昇降口を有していて階上床に組み込まれる扉枠２と、この扉枠２に枢支されていて昇降口を開閉する扉部材３と、この扉部材３と扉枠２との間に設けられていて扉部材３の開放姿勢を設定する姿勢設定手段５とを備える。姿勢設定手段５は、扉部材３と扉枠２の一方に一端が連結されていて他端に係合部７を有する設定部材８と、扉部材３と扉枠２の他方に設けられていて設定部材８の係合部７を係止する係止部とを有する。設定部材８の係合部７には、扉部材３が開放姿勢からさらに開放する方向の回動を規制する第１係合部７ａと、扉部材３が開放姿勢から閉鎖する方向の回動を規制する第２係合部７ｂとを設ける。【選択図】図４
2016037825.tif 000002
【特許請求の範囲】
【請求項１】
昇降口（２Ａ）を有していて階上床に組み込まれる扉枠（２）と、この扉枠（２）に枢支されていて昇降口（２Ａ）を開閉する扉部材（３）と、この扉部材（３）と前記扉枠（２）との間に設けられていて扉部材（３）の開放姿勢（Ｂ）を設定する姿勢設定手段（５）とを備えた昇降口用扉装置であって、
前記姿勢設定手段（５）は、扉部材（３）と扉枠（２）の一方に一端が連結されていて他端に係合部（７）を有する設定部材（８）と、扉部材（３）と扉枠（２）の他方に設けられていて設定部材（８）の係合部（７）を係止する係止部（９）とを有し、
前記設定部材（８）の係合部（７）には、扉部材（３）が開放姿勢（Ｂ）からさらに開放する方向の回動を規制する第１係合部（７ａ）と、扉部材（３）が開放姿勢（Ｂ）から閉鎖する方向の回動を規制する第２係合部（７ｂ）とを設けていることを特徴とする昇降口用扉装置。
【請求項２】
前記設定部材（８）は、一端を扉部材（３）に連結し、他端の第１係合部（７ａ）及び第２係合部（７ｂ）を切欠形状に形成しており、
前記扉枠（２）は、閉鎖姿勢（Ｃ）の扉部材（３）を受ける受け面部（２Ｂ）を有し、この受け面部（２Ｂ）に開口（１１）を形成しており、この開口（１１）の周囲の開口縁には、設定部材（８）の他端が挿入されたときに第１係合部（７ａ）と係合可能な第１係止部（９ａ）と、第２係合部（７ｂ）と係合可能な第２係止部（９ｂ）とを形成していることを特徴とする請求項１に記載の昇降口用扉装置。
【請求項３】
前記設定部材（８）の第１係合部（７ａ）の上面（ａ）の先端から第２係合部（７ｂ）の上面（ｂ）の先端までの先端間距離（α）は、係止部（９）を形成する開口（１１）の前後寸法（β）よりも長く設定されていることを特徴とする請求項２に記載の昇降口用扉装置。
【発明の詳細な説明】
【技術分野】
【０００１】
本発明は、階上床と階下床とを繋ぐ昇降口を開閉可能にする昇降口用扉装置に関する。
【背景技術】
【０００２】
例えば、高所作業台の作業足場、仮設作業足場等には上下複数段の作業足場が組まれ、階上の足場（床）から階下の足場（床）へ移動するために、階上足場には昇降口を有する開閉可能な扉装置が設けられる。
このような扉装置として、特許文献１においては、階上足場となる天板の一部に昇降口を形成する扉枠を設け、この扉枠に蝶番を介して開閉扉（ハッチ）の一辺を開閉可能に支持し、開閉扉の自由端側と扉枠との間に開閉扉の開放角度を設定する二つ折れのリンクを連結している。
【先行技術文献】
【特許文献】
【０００３】
【特許文献１】特開２０１２−２４１４４６号公報
【発明の概要】
【発明が解決しようとする課題】
【０００４】
前記従来技術は、二つ折れのリンクによって、開閉扉を開放姿勢にした状態からのさらなる回動が規制でき、開閉扉が回動し過ぎて作業足場外の構造物と接触するという問題を解消できるが、開放姿勢からの閉鎖方向への回動には規制がなく、開閉扉が不本意な閉鎖動作をする可能性があり、また、二つ折れのリンクは屈伸操作がやり難いものである。
本発明は、このような従来技術の問題点を解決できるようにした昇降口用扉装置を提供することを目的とする。
【０００５】
本発明は、扉部材の開放姿勢からさらに開放する方向の回動の規制も、閉鎖する方向の回動の規制も、簡単な構成で確実かつ容易に行うことができるようにした昇降口用扉装置を提供することを目的とする。
【課題を解決するための手段】
【０００６】
本発明における課題解決のための具体的手段は、次の通りである。
第１に、昇降口２Ａを有していて階上床に組み込まれる扉枠２と、この扉枠２に枢支されていて昇降口２Ａを開閉する扉部材３と、この扉部材３と前記扉枠２との間に設けられていて扉部材３の開放姿勢Ｂを設定する姿勢設定手段５とを備えた昇降口用扉装置であって、
前記姿勢設定手段５は、扉部材３と扉枠２の一方に一端が連結されていて他端に係合部７を有する設定部材８と、扉部材３と扉枠２の他方に設けられていて設定部材８の係合部７を係止する係止部９とを有し、
前記設定部材８の係合部７には、扉部材３が開放姿勢Ｂからさらに開放する方向の回動を規制する第１係合部７ａと、扉部材３が開放姿勢Ｂから閉鎖する方向の回動を規制する第２係合部７ｂとを設けていることを特徴とする。
【０００７】
第２に、前記設定部材８は、一端を扉部材３に連結し、他端の第１係合部７ａ及び第２係合部７ｂを切欠形状に形成しており、
前記扉枠２は、閉鎖姿勢Ｃの扉部材３を受ける受け面部２Ｂを有し、この受け面部２Ｂに開口１１を形成しており、この開口１１の周囲の開口縁には、設定部材８の他端が挿入されたときに第１係合部７ａと係合可能な第１係止部９ａと、第２係合部７ｂと係合可能な第２係止部９ｂとを形成していることを特徴とする。
【０００８】
第３に、前記設定部材８の第１係合部７ａの上面ａの先端から第２係合部７ｂの上面ｂの先端までの先端間距離αは、係止部９を形成する開口１１の前後寸法βよりも長く設定されていることを特徴とする。
【発明の効果】
【０００９】
本発明によれば、扉部材の開放姿勢からさらに開放する方向の回動の規制も、閉鎖する方向の回動の規制も、簡単な構成で確実かつ容易に行うことができる。
即ち、請求項１に係る発明は、姿勢設定手段５を係合部７を有する設定部材８と係止部９とで簡単に構成することができ、係止部９に対する設定部材８の係脱動作だけで、扉部材３が開放姿勢Ｂからさらに開放する方向の回動の規制も、扉部材３が開放姿勢Ｂから閉鎖する方向の回動の規制も確実かつ容易に行うことができる。
【００１０】
請求項２に係る発明は、設定部材８は一端を扉部材３に連結し、他端の第１係合部７ａ及び第２係合部７ｂを切欠形状に形成しており、１本の部材で簡単に構成でき、扉枠２は、受け面部２Ｂの開口１１の開口縁に第１係止部９ａと第２係止部９ｂとを形成するので、開口１１を形成するだけで簡単に構成できる。
請求項３に係る発明は、設定部材８の第１係合部７ａの上面ａの先端から第２係合部７ｂの上面ｂの先端までの先端間距離αは、係止部９を形成する開口１１の前後寸法βよりも長く設定されているので、設定部材８が押し引きされても、係合部７が係止部９から不本意に離脱することはなく、確実に係合維持ができる。
【図面の簡単な説明】
【００１１】
【図１】本発明の実施形態を示す扉部材開放姿勢の斜視図である。
【図２】扉部材開放姿勢の平面図である。
【図３】扉部材開放姿勢の正面図である。
【図４】扉部材開放姿勢の一部断面拡大側面図である。
【図５】扉部材開放姿勢の設定部材の斜視図である。
【図６】扉部材閉鎖姿勢の設定部材の平面図である。
【図７】扉部材閉鎖姿勢の斜視図である。
【図８】第２係合部が係合した設定部材の斜視図である。
【図９】図８のＸ−Ｘ線断面図である。
【発明を実施するための形態】
【００１２】
以下、本発明の実施の形態を図面に基づいて説明する。
図１〜９において、昇降口用扉装置１は、昇降口２Ａを有していて作業足場（階上床）に組み込まれる扉枠２と、この扉枠２に枢支されていて昇降口２Ａを開閉する扉部材３と、この扉部材３と前記扉枠２との間に設けられていて扉部材３の開放姿勢Ｂを設定する姿勢設定手段５とを備えている。
【００１３】
高所作業台の作業足場、仮設作業足場等の多段階の床は、４本の支柱間に、図２、３で示すような２本の平行な桟部材１２を連結し、この２本の桟部材１２を連結杆１３で梯子状に連結し、２本の桟部材１２間又は２本の連結杆１３に踏み板を載置連結して構成され、２本の桟部材１２、２本の連結杆１３及び踏み板等で構成される足場を４本の支柱間に上下複数段に設けている。
【００１４】
扉装置１は桟部材１２及び連結杆１３の間で踏み板の一部を構成し、扉枠２は下段の足場（階下床）と上段の足場（階上床）とを行き来可能にする昇降口２Ａを形成し、扉部材３は昇降口２Ａを開閉する扉であり、かつ上段の足場の踏み板となる。なお、扉装置１の下方には下位の足場と上位の足場とを結ぶ梯子が設けられる。
前記扉枠２はアルミ合金製であり、断面コ字形状の２本の縦部材２１と、この２本の縦部材２１を連結する段付きの横部材２２とで四角枠状に形成され、横部材２２は枠外周部となる上面と、それより内側で１段低い中間の面部（受け面部）２Ｂとを有し、２本の縦部材２１間でかつ受け面部２Ｂの内側が上下に開口した昇降口２Ａとなっている。
【００１５】
図１〜７において、前記扉枠２は、枠の対向二辺に位置する２本の縦部材２１の両端に一対の連結具１４を有しており、この連結具１４は作業足場の２本の平行な桟部材１２を梯子状に連結する連結杆１３に嵌合連結する。
各連結具１４は連結杆１３に上方から嵌合する嵌合部１４ａと、嵌合した状態で嵌合部１４ａが上方へ逃げるのを阻止する抜け止め部材１４ｂとを有している。
【００１６】
前記扉部材３はアルミ合金製であり、断面Ｔ字又はＬ字形状の２本の側部材２３と、この２本の側部材２３を連結する架設部材２４とで四角形状に形成され、架設部材２４の一端と扉枠２の縦部材２１の昇降口２Ａ側の面との間にヒンジ部材２５を設けて、扉部材３を扉枠２に開閉自在に枢支連結している。
扉部材３は、図７に示す閉鎖姿勢Ｃで、側部材２３が扉枠２の横部材２２に載置され、図１〜５に示す開放姿勢Ｂで、縦部材２１から略９０°回動して略鉛直に立ち上がる。
【００１７】
扉部材３の一方の側部材２３と横部材２２の受け面部２Ｂとの間には、扉部材３の開放姿勢Ｂを設定する姿勢設定手段５が設けられている。
この姿勢設定手段５は、側部材２３に一端が連結されていて他端に係合部７を有する設定部材８と、横部材２２の受け面部２Ｂに設けられていて設定部材８の係合部７を係止する係止部９とを有する。
【００１８】
前記設定部材８は１枚の帯板をＳ字状に屈曲した支え板形状であり、その一端は側部材２３と架設部材２４とを連結するボルト２７に枢支されており、自由端となる他端に２つの切欠で第１係合部７ａと第２係合部７ｂとが形成されている。
前記扉枠２の係止部９は、受け面部２Ｂに設定部材８の自由端が挿入可能な開口１１を形成し、この開口１１の周囲の開口縁に、第１係合部７ａと係合可能な第１係止部９ａと、第２係合部７ｂと係合可能な第２係止部９ｂとを形成している。
【００１９】
前記設定部材８は、扉部材３を開放姿勢Ｂに回動したときに、扉部材３から受け面部２Ｂに筋交い状に斜めに延びて配置される。設定部材８の自由端側の係合部７の第１係合部７ａは、ヒンジ部材２５側に開口した切欠であり、第１係止部９ａと係合することにより、扉部材３が開放姿勢Ｂからさらに開放する方向の回動を規制する。
前記設定部材８の第２係合部７ｂは、受け面部２Ｂに対向する方向に開口した切欠であり、第２係止部９ｂと係合することにより、扉部材３が開放姿勢Ｂから閉鎖する方向の回動を規制する。
【００２０】
前記第１係合部７ａによって回動が規制される扉部材３の開放姿勢Ｂ１と、第２係合部７ｂによって回動が規制される扉部材３の開放姿勢Ｂ２とは、図７に示すように、設定部材８の自由端を開口１１に係脱するために若干角度のズレがある。
図１、４、５に示す開放姿勢Ｂ１及び図７に示す開放姿勢Ｂ１は、設定部材８の第１係合部７ａが第１係止部９ａに係合した状態であり、扉部材３は鉛直位置より外側へ若干傾き、それ以上の開放方向の回動を規制している。
【００２１】
図８に示す開放姿勢Ｂ１及び図７に示す開放姿勢Ｂ２は、設定部材８の第２係合部７ｂが第２係止部９ｂに係合した状態であり、扉部材３は鉛直位置より内側へ若干傾き、それ以上の閉鎖方向の回動を規制している。
図４、８に詳細に示すように、扉部材３の第１係合部７ａの上面ａの先端から第２係合部７ｂの上面ｂの先端までの先端間距離αは、係止部９を形成する開口１１の前後寸法βよりも長く設定されている。なお、前記先端間距離αは扉部材３が傾斜しているので、上面ａより前の部分を含む。
【００２２】
これによって、扉部材３は前記開放姿勢Ｂ１から開放姿勢Ｂ２への回動力を受けたとき、または、開放姿勢Ｂ２から開放姿勢Ｂ１への回動力を受けたとき、設定部材８は押し引きされるが、その自由端は第１係合部７ａの上面ａまたは第２係合部７ｂの上面ｂのどちらか一方が開口１１の周囲縁上に存在し、開口１１に突っ込んでしまうことはなく、離脱することもなく、係合維持ができる。
【００２３】
扉部材３の自由端は、人為的に上方へ離脱しない限り、受け面部２Ｂ上を移動し、設定部材８の第１係合部７ａと第２係合部７ｂとは切欠の上側の面ａ、ｂを利用して、開口１１の縁との係合がスムーズに入れ替わる。
扉部材３は開放姿勢Ｂから閉鎖姿勢Ｃにするとき、設定部材８の自由端を開口１１から引き抜いて受け面部２Ｂに置き、扉部材３を閉鎖方向に回動して扉枠２に載置する。
【００２４】
図１〜３、７において、扉部材３は、扉枠２との間に扉部材３の閉鎖姿勢Ｃを解除可能にロックするロック具１５を有する。このロック具１５は扉部材３の自由端側に設けた平面視コ字形状のロック部材３０と、このロック部材３０の両端を扉部材３から突出方向に付勢する付勢部材（スプリング）３１と、扉枠２に形成されていてロック部材３０の両端が挿入される係合孔３２とを有している。
【００２５】
扉部材３の架設部材２４には、ロック部材３０の中間部を露出する開口部３３が形成されており、扉部材３が閉鎖姿勢Ｃのときに、上方からこの開口部３３に手を入れて、ロッ
ク部材３０を付勢部材３１に抗して引き移動することにより、扉枠２に対する閉鎖ロックは解除され、扉部材３は上方へ開放できる。
ロック部材３０は架設部材２４の下側に位置するので、扉部材３の下方からは開口部３３を介することなく手操作できる。
【００２６】
なお、本発明は前記実施形態における各部材の形状及びそれぞれの前後・左右・上下の位置関係は、図１〜９に示すように構成することが最良である。しかし、前記実施形態に限定されるものではなく、部材、構成を種々変形したり、組み合わせを変更したりすることもできる。
例えば、昇降口用扉装置１は、ベランダやバルコニー等の階上階の床に設置されている避難梯子付きの避難ハッチとしても適用可能である。
【００２７】
また、設定部材８は扉部材３に枢支されているが、扉枠２側に枢支しておいて、扉部材３には開口１１を形成して、その周囲縁を係止部９としてもよい。
【符号の説明】
【００２８】
１      扉装置
２      扉枠
２Ａ    昇降口
２Ｂ    受け面部
３      扉部材
５      姿勢設定手段
７      係合部
７ａ    第１係合部
７ｂ    第２係合部
８      設定部材
９      係止部
９ａ    第１係止部
９ｂ    第２係止部
１１    開口
１２    桟部材
１３    連結杆
１４    連結具
１５    ロック具
Ｂ      開放姿勢
Ｃ      閉鎖姿勢
ａ      第１係合部の上面
ｂ      第２係合部の上面
α      先端間距離
β      前後寸法
【図１】
2016037825.tif 000003
【図２】
2016037825.tif 000004
【図３】
2016037825.tif 000005
【図４】
2016037825.tif 000006
【図５】
2016037825.tif 000007
【図６】
2016037825.tif 000008
【図７】
2016037825.tif 000009
【図８】
2016037825.tif 000010
【図９】
2016037825.tif 000011